Podtech/llm-jp-corpus-v4-ja_patent huggingface dataset:
(57)【要約】【課題】  平面の印刷物であるラベルシールを立体的に視認出来るように加工を施し、よりアピール性の強いラベルやカード体など、販促効果を向上させる印刷物を提供する。【解決手段】  複数層の用紙の一部を接着させ、その目的に応じた形、デザインを施し、型抜き、型押などを施し、その非接着部分を立ち上げ、折り、曲げる事により平面印刷物を飛び出させ、立体に見せる事を特徴としたラベルシールやカード体。【選択図】図３
0003135845.tif 000002
【実用新案登録請求の範囲】
【請求項１】
（イ）上紙立体表現用（ロ）下紙貼付用の複数層を具備し、互いの任意の一部を接着させ、必要な形状に型抜き、型押し等を施し、任意の非接着部を折る、曲げる等により飛び出させることの出来るラベルシール。
【請求項２】
（イ）上紙立体表現用（ロ）下紙貼付用の複数層を具備し、互いの任意の一部を接着させ、必要な形状に型抜き、型押し等を施し、任意の非接着部を折る、曲げる等により飛び出させたカード体。尚、上紙、下紙の枚数、タック紙、一般紙又は印刷の有る無しについては本考案は限定しない。
【考案の詳細な説明】
【技術分野】
【０００１】  本考案は、従来行われていない方法であるタックシールである。平面上の紙、フイルムを抜いて折り曲げることにより立体的に見せようとするものである。
【背景技術】
【０００２】  従来のラベルシールを立体的に見せようとすると、
（１）印刷インキをふくらませ、盛り上げる方法。
（２）エンボス加工をして凹凸をつける。
（３）厚手の素材を使用したラベル。
（４）部分的に粘着を施す。
【考案の開示】
【考案が解決しようとする課題】
【０００３】  これらのものは平面上に多少の凹凸を付けたものにすぎず、実際に飛び出しては見えるものではなく、質感を出すものであってインパクトに乏しかった。又、シールの一部に切り込みを入れ、その部分を持ち上げる方法や部分粘着を施す方法も考えられるが、立体表現の立ち上げ部分が多くなるに従って粘着部分の割合が小さくなる。粘着部分が小さくなると剥離紙上への密着が甘くなり、剥落やズレが発生する。又、粘着部分の割合が小さくなった場合、貼付物、非着体への強度が弱くなり脱落する。特に自動ラベラーの様に連続ロール状仕上げなど、貼付け時に脱落又はズレが発生し、商品にはならない。又カット仕上げでも見栄えは良い物ではない。
【課題を解決するための手段】
【０００４】  これらの問題を解決する為、複数層をもうけ、貼付けする為の下紙タックシール部と、立体に見せる部分上紙を複数層にし、剥離紙上の粘着面積を任意の大きさにする事で剥離紙上への密着強度をコントロール出来る。又、商品への貼付け時のトラブル等の問題を解決し、上紙と下紙の各層間の接着に関しては、接着面積が点や線であっても一定の強度が保てる様にホットメルト接着を用いた。このように構成される事により量産品から少量品までカバーし、粘着剤であるシールラベルの持つ利便性と弱点を解決した。このような構成により、様々な抜き加工を施した形状のラベルシールを製作し、上紙部分を折り曲げることにより立体ラベルシールが出来上がる。
【考案の効果】
【０００５】  従来シール、ラヘル又はＰＯＰ、カードなどのエンボスや盛り上げ印刷などに見られるように、やや離れて見ると訴求力に乏しさがあったが、本考案は１枚のラベルが、例えば蝶が止まっている様、又は花が咲いている様など、立体として飛び出して見えるので、アイキャッチ、インパクトにおいては絶大である。ＰＯＰ、ラベル、ケース、包装紙の上のワンポイント飾りなどにも最適である。
【考案を実施するための最良の形態】
【０００６】  この考案を実施しようとする場合
（イ）用紙上紙は印刷された紙及びフイルム及びタックシール紙。
（ロ）用紙下紙は印刷された紙及びフイルム及びタックシール紙。
（ハ）用紙（イ）（ロ）を任意に接着させる為の材料、ヒートシールフイルム。
下紙（ロ）の上にヒートシール性を具備したフイルム（ハ）を重ね、下紙に部分熱接着させた後、上紙（イ）のタックシールを貼付ける事により、一部は下紙（ロ）に接着し、上紙（イ）タックシールは粘着部をヒートシールフイルムによりノリ殺しされる。次工程により外周部及び任意の場所を抜き、ハーフカットにより仕上げられる。
【図面の簡単な説明】
【０００７】
【図１】  本考案の平面図である。
【図２】  本考案の側面図である。図１平面図下方からの側面図。
【図３】  本考案の斜視図である。
【図４】  本考案のＡ−Ｂの詳細な断面図である。
【図５】  本考案の実施の他の一例の斜視図である。
【図６】  本考案の図５Ａ−Ｂの簡単な断面図である。
【符号の説明】
【０００８】  （イ）上紙（タックシール）主に立体表現部分。
（ロ）下紙（タックシール）非着体に貼付けする部分。
（ハ）ヒートシールフイルム
【図１】
0003135845.tif 000003
【図２】
0003135845.tif 000004
【図３】
0003135845.tif 000005
【図４】
0003135845.tif 000006
【図５】
0003135845.tif 000007
【図６】
0003135845.tif 000008
【手続補正書】
【提出日】平成19年7月5日(2007.7.5)
【手続補正１】
【補正対象書類名】実用新案登録請求の範囲
【補正対象項目名】全文
【補正方法】変更
【補正の内容】
【実用新案登録請求の範囲】
【請求項１】
（イ）上紙立体表現用（ロ）下紙貼付用の複数層を具備し、互いの任意の一部を接着させ、必要な形状に型抜き、型押し等を施し、任意の非接着部を折る、曲げる等により飛び出させることの出来るラベルシール。
【請求項２】
（イ）上紙立体表現用（ロ）下紙貼付用の複数層を具備し、互いの任意の一部を接着させ、必要な形状に型抜き、型押し等を施し、任意の非接着部を折る、曲げる等により飛び出させたカード体。
(57)【要約】【課題】両用便器て立小便する場合の器の装着、保持、水洗、隠し設置等の安易な排尿補助器を提供する。【解決手段】ペニス体を受容する主体筒（１）の前部を絞り細めて、先端部に縦長円の排尿口（２）を設け、主体筒（１）に適当形の把手（３）を取付け同前部に通気孔（４）を設けてなる排尿補助器。【選択図】図１
0003135848.tif 000002
【実用新案登録請求の範囲】
【請求項１】
ペニスに装着する主体筒（１）の前部分を絞り細めて該先端部に排尿口（２）を設け、該主体筒（１）に把手（３）を取付けてなる排尿補助器
【請求項２】
主体筒（１）の前部分に通気孔（４）を設け、排尿口（２）を縦長円状としてなる請求項１記載の排尿補助器
【考案の詳細な説明】
【技術分野】
【０００１】立小便の補助器
【背景技術】
【０００２】従来の両用便器用の立小便補助器は取扱いが面倒で、亦洗浄竝隠し設置等が不自由であった。
【考案の開示】
【考案が解決しようとする課題】
【０００３】立小便補助器の使用、洗浄、隠し設置等を安易にし、且排尿の流、放、出力を向上させる。
【課題を解決する為の手段】
【０００４】ペニスに装着する主体筒（１）に是の使用、洗浄、吊設置等安易な把手（３）を側面に取付け亦排尿の効率を向上させる為主体筒（１）の前部に通気孔（４）竝排尿口（２）を縦長円形に設ける。
【考案の効果】
【０００５】把手（３）によりペニスへの装着竝保持が安易となり、亦該洗浄、吊下げ設置が簡単となり、通気口（４）より縦長の排尿口（２）上辺間隙への気流により排尿時の尿流排出力を向上させ亦本器を視死角へ隠し設置する事で補助器の使用に劣等感をもち、或はトイレ床面や衣服を汚す為、座位排尿を強いられている老弱男子に立小便へ戻る意慾を向上させるものである。
【実施例】
【０００６】両用便器で立小便する場合、把手（３）を手に、主体筒（１）、をペニスに嵌着、該把手（３）を加減して便器内へのみ適確に排尿する、事後洗浄、水切りし、トイレ内視死角へ点着等したフック等に吊下げて隠し設置する。
【図面の簡単な説明】
【０００７】
【図１】は本考案器の正面図である。
【符号の説明】
【０００８】１    主体筒
２    排尿口
３    把手
４    通気孔
【図１】
0003135848.tif 000003
(57)【要約】      （修正有）【課題】キーボード面積が小さく出来て、キーの文字が少数単純で見やすく、ローマ字入力が出来るキーボード装置。【解決手段】アルファベット文字キー２０個、小文字変換キー１個で計２１個のキーで構成している。故に、日本語の文章作成が簡単にでき、装置自体も単純に出来る。【選択図】図１
0003135844.tif 000002
【実用新案登録請求の範囲】
【請求項１】
キーボード装置でキーボード内にＡ〜Ｗまでの２０文字のアルファベット、それに小文字変換キー１個と合わせてこれら計２１キーで日本語を入力する装置が請求範囲です。
【考案の詳細な説明】
【技術分野】
【０００１】  本考案は、パーソナルコンピューターの日本語入力キーボード装置に関するものである。
【背景技術】
【０００２】  パーソナルコンピューターを希にしか使用しないので、日本語入力をするときは、ローマ字入力、仮名入力、共にキーの数が多く、それに配置もばらばらでキーボード面も大きいのでキーを探すのに一苦労してる。
【考案の開示】
【考案が解決しようとする課題】
【０００３】  従来、この種のキーボードは、アルファベット２６文字か仮名４８文字で日本語を入力するキーボード装置が一般的である。それによりキー数は多く、キーボード装置の面積も大きい。また、従来の小さい面積のキーボード装置でも１キーに複数の文字を表示させている。それ故、煩雑になりキーボードが見にくくなる欠点がある。そこで簡単に日本語を入力できるキーボード装置で、かつ単純で小型化できる装置を考案し解決しようとした。
【課題を解決するための手段】
【０００４】  本キーボードは、アルファベット文字２０キーと小文字変換１キーと計２１キーを使用しローマ字方式で日本語を表示する。
【考案の効果】
【０００５】  上述により、装置は、単純なので日本語入力が簡単に出来、またキーボード装置は、小型化になり、持ち運びも簡単にできる。
【考案の実施するための最良の形態】
本キーボード装置は、アルファベット文字２０キーと小文字変換１キーと計２１キーをキーボード内に配置する。
【実施例】
【０００６】
【０００７】  実施例について図１を参照して説明する。仮名文字を３のキー計２１個を使って表示する。１のアルファベット２０個のキーを使ってローマ字方式で入力し日本語に変換する。また、小文字を単独で入力する場合は、２の小文字変換革キーを押下後１のアルファベットキーを押下すると小文字が表示される。例として、小文字（っ）を表示する場合は、（小）（Ｔ）（Ｕ）キーを順に押下。
【産業上の利用の可能性】
【０００８】  日本語入力の操作が簡単にでき、本器は小型化に向いているので、今まで使用している大型のキーボードと併用して使うのも便利であるし、持ち運びも簡単に出来る。またキーの数も少ないので手軽に日本語入力が出来、年配の方のみならず多くの人に使用してもらえるのでないかと思う。
【図面の簡単な説明】
【０００９】
【図１】  本考案のキーボード装置の平面図である。
【符号の説明】
【００１０】  Ａａ  キーボード
Ａｂ  キーボード装置
１    アルファベットキー
２    小文字変換キー
３    キー
【図１】
0003135844.tif 000003
【手続補正書】
【提出日】平成19年6月27日(2007.6.27)
【手続補正１】
【補正対象書類名】実用新案登録請求の範囲
【補正対象項目名】全文
【補正方法】変更
【補正の内容】
【実用新案登録請求の範囲】
【請求項１】
キーボード装置で、キーボード内にＡからＷまでのアルファベット２６文字から日本語入力に必要なＡ，Ｉ，Ｕ，Ｅ，Ｏの５文字を一括りＢ，Ｄ，Ｆ，Ｇ，Ｈの５文字を一括りＫ，Ｍ，Ｎ，Ｐ，Ｒの５文字を一括り、それにＳ，Ｔ，Ｗ，Ｙ，Ｚの５文字を一括りにして、計２０文字を４段または、４列に配置し、それに小文字変革キー等を合わせ、これにより日本語を入力する装置。
(57)【要約】      （修正有）【課題】スピーカー本体に自在に位置調節できるようにすることにより、耳元で適切な音量で聞くことができる。【解決手段】スピーカー本体１に長さ調節可能な可逆変形状等の柄の部分２を取り付けられるようにしておき、この柄の部分２のスピーカーと対する場所に安全設置のための基底部４、またはフック等を取り付けて使用できるように考慮されて作られ、上下逆に設置して使用する際のためにスピーカー本体１に向きを調節できるアジャスター機能を付加して耳元で自在に調節して音声を聞き取ることができる。【選択図】図１
0003135842.tif 000002
【実用新案登録請求の範囲】
【請求項１】
テレビ等の音声を、耳元の適切な位置に自在に調節して安定的に使用することで聞き取りやすくした耳元スピーカー。
【考案の詳細な説明】
【技術分野】
【０００１】  本考案は、テレビ等の音声を離れた場所で聞くスピーカーを耳元の適当な場所（高さ・位置）まで近づけて設置し聞きやすく調節できるようにしたものである。
【背景技術】
【０００２】  音声を聞きとりづらい場合のスピーカーは一定距離近づけられるが、耳からは離れて使用されてきた。
【考案の表示】
【考案が解決しようとする課題】
【０００３】  既存のスピーカーでは耳元でよりはっきり聞きたい場合不便が生じた。しかしヘッドホンにすると他の音が入ってこないため周囲の状況が判断しにくく、又イヤホンではどうしても不十分な聞こえ方になりがちになった。そこで、スピーカーを耳元の適切な場所まで近づけて設置できるようにして上記欠点を解決しようとするものである。
【課題を解決するための手段】
【０００４】  本考案は、スピーカーに高さを調節して置けるマイクスタンド様のものをはめ込める又は内蔵できるようにしておく、あるいは多方向に高さ・向き等を自在に調節可能にして使用できるように機能を付加して上記問題点を解決している。
【考案の効果】
【０００５】  このように、本考案ではスピーカーを使用する際、耳元近くで使えるので通常と音声では聞き取りにくい人の場合ヘッドホンで両耳を塞ぐことなく、また補聴器を使用する代わりとしても効果的に聞くことが出来、音量を上げすぎるのを避けられる。
【考案を実施するための最良の形態】
【０００６】  通常のテレビ等音声用のスピーカーの一方または複数側面にマイクスタンド様のものを設置できるようにネジ式の凹部等を設ける、又同様の効果を得られるもの（上方向から吊り下げて耳元に近くするような場合も含む）を付加設置出来るようにすることにより自在に調節して使用できる。この際、マイクスタンド様のスピーカー位置調節部分にスライド式や卓上スタンドで使用されているような自由に向きを変えられるものであってもよい。スピーカー自体は通常の性能だけでなく、高音・低音等聞き取りにくい使用者向きになどに適したように性能を上げたものを使用することもできる。
【実施例】
【０００７】  以下、添付図面に従って実施例を説明する。１はスピーカー本体（出来れば音量調節できるもの）でその背面（または上下・側面にも）長さを調節でき、変形出来るような素材の柄の部分２を取り付けられるような取り付け部３を予め作っておく。柄の部分２は安定させられる基底部４に取り付けられるようにされる。【０００８】  また、取り付ける場所によって適応できるように位の部分２をフック等で取りつけることも出来るよう応用の範囲を考慮しておく。上下逆に取り付けて利用する場合スピーカー本体の向きを回転して使用できるよう設置部分にアジャスター機能を付加しておくと良い。【０００９】  スピーカー本体は有線・または無線で耳元で使用出来る。
【図面の簡単な説明】
【００１０】
【図１】本考案の耳元スピーカーの実施例を示す斜視図である。
【図２】同スピーカーの実施例である。
【符号の説明】
【００１１】１  スピーカー本体
２  調節可能柄部
３  取り付け部
４  基底部
【図１】
0003135842.tif 000003
【図２】
0003135842.tif 000004
【手続補正書】
【提出日】平成19年7月6日(2007.7.6)
【手続補正１】
【補正対象書類名】実用新案登録請求の範囲
【補正対象項目名】全文
【補正方法】変更
【補正の内容】
【実用新案登録請求の範囲】
【請求項１】
スピーカー本体の背面にネジ式凹部を設け、この穴に対応して固定できるネジ形状を両先端に持ち、スピーカー本体の位置調節を可能にする可変形材からなる調節可能柄をはめ込んで固定、同柄の他端には当該本体を下部にて支えるために設けた基底部のネジ式差し込み凹部に設置固定、又基底部をフックに取り代えることで当該本体を上部より吊り下げて高さ・方向の調節を自在にして使用できることを特徴とする耳元スピーカー。
(57)【要約】      （修正有）【課題】ロート（じょうご）にファンモーターを取り付けそれにビニールパイプを取り付け瓶等を乾燥させる。【解決手段】ファンモーターを、ロート（じょうご）に取り付け、その先にビニールパイプを取り付け、瓶の奥に微風を導き乾燥を促進させる。【選択図】図１
0003135843.tif 000002
【実用新案登録請求の範囲】
【請求項１】
口の細いデキャンター瓶などの、洗浄後、乾燥させる事を目的にしたものである。
口の細い瓶などは、中に空気が流れにくい為、自然乾燥しにくいものである。
小さなファンをケースに取り付け、そのケースの先に細めのビニールパイプを取り付けたもので、瓶の中にわずかな風を送り込む事で、瓶を乾燥させる物である。
デキャンター瓶、乾燥機。
【考案の詳細な説明】
【技術分野】
【０００１】本考案は、ロート（じょうご）にファンモーターを取り付けそれにビニールパイプを取り付け瓶等を乾燥させる為のものである。
【背景技術】
【０００２】デキャンターなどの口の細い瓶の洗浄後、放置しておいても、瓶の底などが自然乾燥しにくい事、が多く見られた。
【考案の開示】
【考案が解決しようとする課題】
【０００３】洗浄後の瓶などの中に、微風を流す事により乾燥を促進させる為のものである。
【課題を解決するための手段】
【０００４】小型ファンモーターを、ロート（じょうご）に取り付け、その先にビニールパイプを取り付け、瓶の底に微風を導き乾燥を促進させるものである。
【考案の効果】
【０００５】従来は、自然乾燥に多くの時間をかけていたが、数時間で乾燥する事でホコリ等にさらされにくいという事になる。
【考案を実施するための最良の形態】
【０００６】小型ファンモーターをロート（じょうご）に取り付ける方法は、ロートの形状をファンモーターの形状に合わせたものを製作するのが望ましい。
試作では、四角形のファンに対して丸いロートを使用しているので、隙間があくために充填剤を使用している。
尚、ビニールパイプの太さは、直径１センチ前後  長さは、瓶の底に届く位にする事が望ましい。又電源を本体と一体化する事も考えられるが、重量が増すと瓶などが、重さで転倒する可能性が考えられる。その場合、電池は軽量なボタン電池等を使用する事で解決できる。
【実施例】
【０００７】以下、添付図面に従って一実施例を説明する。１は小型のファンモーター  ２はロート（じょうご）ファンの収まる大きさの物を使用し、３は電源ボックス、４は、本体と電源を接続する為の接続線である、５は、電源スイッチ  ６は、電池  ７は、２のロートの先に取り付ける１センチ前後のビニールパイプ  ８は、１の四角形のファンと２のロートとの間の隙間を埋める為の隙間充填剤である。
【産業上の利用可能性】
【０００８】構造は、簡単な物であるが、試作機での実際の効果は、絶大であり、且つ製作費も安価である事。
口の細いデキャンター等の瓶の自然乾燥が難しい事から、可能性はあると考えられる。
【図面の簡単な説明】
【０００９】
【図１】本考案の  実施例を示す上面図である。
【図２】本考案の一部横面図である。
【符号の説明】
【００１０】１  小型ファンモーター
２  ロート（じょうご）
３  隙間充填剤
４  ビニールパイプ
５  本体と電源接続線
６  電源ボックス
７  スイッチ
８  電池
【図１】
0003135843.tif 000003
【図２】
0003135843.tif 000004
【手続補正書】
【提出日】平成19年6月15日(2007.6.15)
【手続補正１】
【補正対象書類名】実用新案登録請求の範囲
【補正対象項目名】全文
【補正方法】変更
【補正の内容】
【実用新案登録請求の範囲】
【請求項１】
口の細いデキャンター瓶などの、洗浄後、乾燥させる事を目的にしたものであり、口の細い瓶などは、中に空気が流れにくい為、自然乾燥しにくいものであるため、小さなファンをケースに取り付け、そのケースの先に細めのビニールパイプを取り付けたもので、瓶の中にわずかな風を送り込む事で、瓶を乾燥させる物であり、以上のことかなる
デキャンター瓶乾燥機。
(57)【要約】      （修正有）【解決手段】俎板を二段にし、俎板の上部に調理カバーを付け本体の磨耗を防ぎ、掃除洗いも簡単にした俎板で食材の受け皿を付けた二段俎板。二段俎板の上部，下部に皮むき、千切り（書類）シュレッター（着脱可能）を俎板に付けたことを特徴とする二段俎板。上下俎板を使用し、切り込みガイドにより上下俎板がスライド出来る二段俎板。【効果】料理俎板に初めから受け皿、皮むき刃、シュレッター刃が付いていれば大変便利な俎板と成り、受け皿は、脱着可能、皮むき刃は、刃の交換可能、シュレッターは、千切り部品として又個人情報漏洩に成る文書、郵便物なども廃棄にも一役果たせるし部品交換も出来、取り替える事ができる。【選択図】図１
0003135299.tif 000002
【実用新案登録請求の範囲】
【請求項１】
俎板を二段にしたことを特徴とする、俎板の上部にカバーを付け本体の磨耗を防ぎ、掃除洗いも簡単にした俎板で、食材の受け皿を付けた二段俎板。
【請求項２】
二段俎板の上部，下部には皮むき、千切り兼（書類）シュレッターを俎板に付けたことを特徴とする請求項1記載の二段俎板。
【請求項３】
上下俎板を使用し、切り込みガイドにより上下俎板がスライド出来る請求項1又は2のいずれか記載の二段俎板。
【考案の詳細な説明】
【技術分野】
【０００１】
本考案は料理人、主婦が使用する俎板に関する物である、俎板を二段にする事により便利で機能性をも重要視、衛生的なのは勿論の事、料理した食べ物はそのまま受け皿に受け、それを鍋、フライパンに運び入れる事で火傷等事故にも合い難く最良である、俎板の面積は、４００ｃｍ２〜６５００ｃｍ２が普通だが用途に合った面積は人により色々である。
【背景技術】
【０００２】
従来の俎板は専ら食材を切ることに適しているのであり、食材の皮を剥いたり、鍋、フライパンなどに運ぶ時には俎板を持ったまま調理器具に入れようとして火傷したり、飛散したり上手く調理器具には収まらないことが多々有る。
【考案の開示】
【考案が解決しようとする課題】
【０００３】
而して、従来の俎板は専ら食材を切ることに適しているのであり、俎板を納める時等には、俎板立てが必要に成り別個に俎板立てを購入しなくては成らないし調理した食材を調理器具に運ぶときには飛散したりして、拾い調理器具に入れようか、捨てようかと迷われる事になる。
【課題を解決するための手段】
【０００４】
料理俎板に初めから受け皿、皮むき刃、シュレッター刃が付いていれば大変便利な俎板と成り、毎日料理も楽しく、火傷等の不症も少しは減らせるし、料理俎板に個人情報漏洩に成る文書、郵便物なども廃棄にも一役果たせる優れものの俎板に変わり、大変大事な二段俎板として活躍されるであろう。
【考案の効果】
【０００５】
料理俎板に初めから受け皿、皮むき刃、シュレッター刃が付いていれば大変便利な俎板と成り、受け皿は、脱着可能、皮むき刃は、刃の交換可能、シュレッターは、千切り部品として又個人情報漏洩に成る文書、郵便物なども廃棄にも一役果たせるし部品交換も出来、取り替える事ができる。
【考案を実施するための最良の形態】
【０００６】
本考案は俎板を二段にする事により、俎板立ては要らなくなり、調理した食材はそのまま受け皿に入れ飛散する事も無く料理器具へと運ぶ事も簡単に出来るし、清潔に安全になり、毎日の料理が楽しくなり家庭円満にも一役果たせる。
【実施例】
【０００７】
以下、添付書面に従って実施例を説明する。機能性、利便性、安全性を重視し、毎日の料理を簡単、清潔、楽しくし、安全に調理でき又情報管理としてシュレッターとして野菜千切り具も利用出来る、優れた二段俎板である。
【産業上の利用可能性】
【０００８】
今日の日本の林業は、材木やあらゆる商品が安価な外国製品に押され地場産業は、低迷の一途をたどっているのが現状である。元々日本の経済は、より良い商品を提供して輸出で成り立つ日本経済であったはずだが、今やあらゆる商品を輸入しなくては成り立たない日本となってきた。お金でお金を稼ぐ日本経済と成って来ては今まで培ってきた日本の技術力と職人の世界は、今後衰退の一途を辿るばかりである。もっと想意工夫をして職人さんの技術力、新商品開発が必要ではないかと思われる。農業、林業を魅力ある産業にし、日本の農家、林業を大切にしなければ、大変な事態に成りかねない。農業、林業を日本の若者達に魅力ある産業にしなくては、これからの日本の社会は危ぶまれる。
【図面の簡単な説明】
【０００９】
【図１】二段俎板の斜視図
【図２】俎板内の皮剥刃設置図
【図３】俎板表面を切り込みガイドによりスライド可能にする図
【図４】二段俎板の切り込みガイドによりスライド可能にする図
【図５】俎板カバー兼調理用
【図６】俎板カバー兼調理用の断面図
【図７】千切り具兼シュレッター
【符号の説明】
【００１０】
１  俎板
２  受け皿
３  支柱
４  支柱孔
５  皮剥貫通孔
６  皮剥刃
７  俎板表面カバー兼調理用
８  俎板表面カバー兼調理用留め突起部
９  野菜の千切り兼シュレッター
１０  野菜の千切り兼シュレッター留め板
１１  野菜の千切り兼シュレッター留め突起部
１２  野菜の千切り兼シュレッター孔
【図１】
0003135299.tif 000003
【図２】
0003135299.tif 000004
【図３】
0003135299.tif 000005
【図４】
0003135299.tif 000006
【図５】
0003135299.tif 000007
【図６】
0003135299.tif 000008
【図７】
0003135299.tif 000009
【手続補正書】
【提出日】平成19年7月3日(2007.7.3)
【手続補正１】
【補正対象書類名】実用新案登録請求の範囲
【補正対象項目名】全文
【補正方法】変更
【補正の内容】
【実用新案登録請求の範囲】
【請求項１】
俎板を二段にしたことを特徴とする、俎板の上部にカバーを付け本体の磨耗を防ぎ、掃除洗いも簡単にした俎板で、食材の受け皿を付けた二段俎板。
【請求項２】
二段俎板の上部，下部には皮むき、千切り兼シュレッターを俎板に付けたことを特徴とする請求項1記載の二段俎板。
【請求項３】
上下俎板を使用し、切り込みガイドにより上下俎板がスライド出来る請求項1又は2のいずれか記載の二段俎板。
(57)【要約】      （修正有）【課題】１つのＬＥＤ球で、２色の異なる発光が取付け位置を反転させるだけで簡単に切替え出来るようにする。【解決手段】図２のようにそれぞれの端子（両口金・ウェッジ）に両極性を持たせることで配列している色の切替えを行えるようにした。【選択図】図２
0003135293.tif 000002
【実用新案登録請求の範囲】
【請求項１】
自動車等の車内用（ドア・スライドドア等を含む）に装備するランプ（マップ・ルーム・カーテシ・カーゴランプ）に、色の異なる（２色）発光ダイオード（以下、ＬＥＤ）を数個配列したものに、ＬＥＤの一方向の流れる電流の極性を利用し、両端子（両口金・ウェッジ）に、それぞれの色の両極性（＋／−）を互い（千鳥）持たせることで、ＬＥＤの取付け時に位置を反転させれば簡単に２色（白・青・赤・黄・緑・紫・ピンクの内の２色）発光の切替えが出来るようにした考案。
１つのＬＥＤ球で配列している、２色の発光色が選択出来る。
反対方向の端子（両口金・ウェッジ）には整流ダイオードを使用し、電流の逆流を防いでいます。
【考案の詳細な説明】
【技術分野】本考案は、自動車等の車内ランプ（ドア・スライドドア等も含む）で、両端子（両口金・ウェッジ）に、それぞれ色違いに配列されたＬＥＤの両極性（＋／−）を互い（千鳥）に設けることで取付け位置の反転により簡単に、２色発光の切替えを可能にした考案。
【背景技術】車内ランプのＬＥＤ化はありますが色は単色となり、取付け方向を反転させ差換えるだけで、配列された違う色のＬＥＤを発光するものは無かった。
【考案の開示】
【考案が解決しようとする課題】
【０００１】従来のＬＥＤ球では単色しか無かった為、別の色が必要になれば新たにＬＥＤ球を用意しなければならなかった。（この場合のＬＥＤ球とはＬＥＤ単体のことではなく、数個のＬＥＤが配列され、ひとまとまりになった球のことです。）
【課題を解決するための手段】
【０００２】最初から違う色（２色）のＬＥＤを数個配列し、それぞれの色の極性（＋／−）を、端子（両口金・ウェッジ）に互い（千鳥）に持たせることで、ＬＥＤ球の取付け位置を反転させるだけで色の切替えが可能になり、２色配列の内、いずれか一方の発光が選択出来る様になった考案。
また、電流の逆流防止の為、それぞれの回路に整流ダイオードを設け、使用していない方（使わない色のＬＥＤ）に電流が流れないようにしている。
【考案の効果】
【０００３】１つのＬＥＤ球で、２色の発光色が選択出来る様になり、色の切替えは取付け位置の反転だけで簡単に行える様になった。
【実施例】１つのＬＥＤ球で、自動車等の車内イルミネーションが、必要に応じて多彩にアレンジ出来るようになる。
【図面の簡単な説明】
【図１】従来からある、ＬＥＤ球の回路図である。ＬＥＤ色（白・青・赤・黄・緑・紫・ピンクの内、１色）ＬＥＤ使用個数（１個以上）
【図２】考案した、ＬＥＤ球の回路図である。ＬＥＤ色（白・青・赤・黄・緑・紫・ピンクの内、色違いを各１色、計２色）ＬＥＤ使用個数（２個以上）取付けを反転させることで電流が逆に流れ、他方（違う色）のＬＥＤが発光する。
【符号の説明】
0003135293.tif 000003
【図１】
0003135293.tif 000004
【図２】
0003135293.tif 000005
【手続補正書】
【提出日】平成19年5月14日(2007.5.14)
【手続補正１】
【補正対象書類名】実用新案登録請求の範囲
【補正対象項目名】請求項１
【補正方法】変更
【補正の内容】
【請求項１】
自動車等の車内に装備する、マップランプ、ルームランプ、カーテシランプ、カーゴランプ等のランプ類のランプ球自体に色の異なる発光ダイオードを配列させ、それぞれの極性にプラスとマイナスを合わせ持たせて、異なる色ごとに交互に回路を取ることで取付け方向を反転させるだけで簡単に色の異なる発光色が選べるようになった自動車等の車内ランプ球。
(57)【要約】      （修正有）【課題】安価で部品数が少なく、取り付け及び取り外しが容易にできて、より多くの車種に対応できるステアリングハンドルに装着するテーブル。【解決手段】平板状のテーブル主体２であって、テーブル主体の前部にステアリングハンドル下部の外周及び内周に嵌合する切込みを設け、テーブル主体の両側部にステアリングハンドルに水平と安定を保持する為にテーブル主体を固定する為のエル字型又はコの字型又は四角形の部材５を設けた。【選択図】図１
0003135300.tif 000002
【実用新案登録請求の範囲】
【請求項１】
平板状のテーブル主体であって該テーブル主体の前部にステアリングハンドル下部の外周及び内周に嵌合する切込みを設け該テーブル主体の両側部にステアリングハンドルに固定する為のエル字型又はコの字型又は四角形の部材を設けたことを特徴とするカーハンドルテーブル。
【考案の詳細な説明】
【技術分野】
【０００１】本考案は車のステアリングハンドルの角度・直径・握り部の太さ・ハンドル固定部分の形状の違いにも１種類の該テーブル主体の切込みでより多くの車種に水平で又簡単に着脱できるランチ用テーブルを得ることを目的とした。
【背景技術】
【０００２】従来における自動車用ハンドルテーブルはステアリングハンドルの角度・握り部の太さ・ハンドル固定部分の形状に合わせて切抜き又は切込みを設けるという汎用の少ないハンドルテーブルであり又三点指示のハンドルテーブルでは不安定である。
【特許文献１】実用新案公開平６−４７０３３
【特許文献２】登録実用新案第３１０４９３３号
【考案の開示】
【考案が解決しようとする課題】
【０００３】車種によってステアリングハンドルの角度・直径・握り部の太さ・ハンドル固定部分の形状の違いを１種類のテーブル主体の切込みでより多くの車種に対応でき又簡単に着脱できるハンドルテーブルを得ることを目的とする。
【課題を解決するための手段】
【０００４】本考案は上記目的を達成するために以下の如く構成したものである、平板状のテーブル主体であって該テーブル主体の前部にステアリングハンドル下部の外周及び内周に嵌合する切込みを設け該テーブル主体の両側部にステアリングハンドルを固定する為のエル字型又はコの字型又は四角形の部材を設けたことを特徴とするカーハンドルテーブルである．
【考案の効果】
【０００５】一度エル字型又はコの字型又は四角形の部材を固定するだけで着脱が簡単にでき以後は使用時のステアリングハンドルへの着脱のみでその他の作業は全くいらず又テーブル主体の切込みが一種類の形で多くの車種に対応でき部材が非常に少なく出来たことが安価で量産が可能になった。
【考案を実施するための最良の形態】
【０００６】エル字型又はコの字型又は四角形の部材を設けたことが水平で着脱が一つの動作でできる安定したテーブルになった。
【実施例】
【０００７】以下本考案の実施例を図面に基づいて説明する。図１は本考案による第一実施例のカーハンドルテーブルの使用状態を示す斜視図、図２はその側面図、図４のテーブル主体の中央突起部分をステアリングハンドルの下部内側に水平に嵌合した状態で左右突起部にエル字型又はコの字型又は四角形の部材をステアリングハンドルの裏側に嵌合した状態で固定する、エル字型又はコの字型又は四角形の部材を該テーブル主体の表側又は裏側と固定の方法を使い分けることによってもテーブル主体の水平を調整することができる。【０００８】図３は略３０度に傾斜した自動車のステアリングハンドルに該テーブル主体を装着した状態を示す側面図である、該テーブル主体とエル字型又はコの字型又は四角形の部材との間に符号８の補助用四角形部材を挟み込むことによってもテーブル主体の水平を調整することができる。【０００９】図４は第一実施例の運転者用カーハンドルテーブルの平面図、切込みの左右方向の長さＬ１はステアリングハンドル１の直径よりも若干小寸に、又幅Ｌ３はステアリングハンドルの握り部の径よりも若干大寸に形成する、中央部の突起の長さＬ２はステアリングハンドル下部内側に安定して嵌合できる長さに形成する。【００１０】図５はテーブル主体にエル字型部材を固定したときの平面図。【００１１】図６はテーブル主体にコの字型部材を固定したときの平面図。【００１２】図７は本考案による第二実施例の運転者用テーブル主体の平面図。【００１３】図８は四角形部材を固定したときの平面図、又図４のテーブル主体においても四角形部材を使うこともできる、エル字  コの字  四角形部材のステアリングハンドルに接する部分を曲形にすることでより該テーブル主体の安定性を増すことができる。【００１４】図９は本考案による第三実施例の運転者用テーブル主体の平面図。【００１５】図１０は中央部に四角形部材、両側部にエル字型部材を固定したときの裏面図、第一実施例の両側部の突起とエル字型部材を大きなエル字型部材にまとめ中央部の突起部分を四角形部材にすることでテーブル主体に複雑な加工の必要がなくなった。
【産業上の利用可能性】
【００１６】自動車を利用して営業又は外出時に食料をコンビニエンスストアーで購入して車中で食事をとる場合に利用。
【図面の簡単な説明】
【００１７】
【図１】本考案による第一実施例の運転者用テーブルの使用状態を示す斜視図である。
【図２】図１の側面図である。
【図３】略３０度に傾斜した自動車のステアリングハンドルに該テーブルを装着した状態を示す側面図である。
【図４】本考案による運転者用テーブルの平面図である。
【図５】本考案による該テーブル主体にエル字型部材を取り付けた状態を示す平面図である。
【図６】本考案による該テーブル主体にコの字型部材を取り付けた状態を示す平面図である。
【図７】本考案による第二実施例の運転者用テーブルの平面図である。
【図８】本考案による第二実施例の該テーブル主体に四角形部材を取り付けた状態を示す平面図である。
【図９】本考案による第三実施例の運転者用テーブルの平面図である。
【図１０】本考案による第三実施例の該テーブル主体に中央部に四角形部材又両側部にエル字型部材を取り付けた状態を示す裏面図である。
【符号の説明】
【００１８】１  丸ハンドル
２  テーブル主体
３ａ  左部突起
３ｂ  右部突起
４  中央突起
５  エル字型部材
６  コの字型部材
７  四角形部材
８  第三実施例用エル字型部材
９  第三実施例用四角形部材
【図１】
0003135300.tif 000003
【図２】
0003135300.tif 000004
【図３】
0003135300.tif 000005
【図４】
0003135300.tif 000006
【図５】
0003135300.tif 000007
【図６】
0003135300.tif 000008
【図７】
0003135300.tif 000009
【図８】
0003135300.tif 000010
【図９】
0003135300.tif 000011
【図１０】
0003135300.tif 000012
(57)【要約】      （修正有）【課題】ペットボトル内にストローを収納させたペットボトルの提供。【解決手段】本考案はペットボトルの中にストローが収納されているのでストローを探す必要がない。弾力性のあるストロー上部の突起部分を指でずらすとワンタッチでペットボトル内から飛び出して飲むことが可能。またストローを押し戻しながら突起部分に引っ掛ける事により、再びペットボトル内に収めることが出来る。なので途中で蓋を閉める事も可能であり漏れることもない。またストローが不要な方についてはストローを伸ばさずにそのよま飲む事も出来る。飲み口の大きさについては現行のペットボトルよりも広めの方がストロー不要な方については飲みやすい。【選択図】図１
0003135295.tif 000002
【実用新案登録請求の範囲】
【請求項１】
ペットボトルの中にストローが収納されていて、ストロー上部はペットボトル飲み口に付属している突起部分に引っ掛かってペットボトル内に収まっている。ストローで飲む場合は指でずらすとワンタッチでストローが飲み口から飛び出て飲むことが可能。ストローには弾力性のある材質を用いることにより折れ曲がっていたストローが飛び出す仕組みである。ストローは当然ペットボトルの高さよりも長い。またストローを押し戻しながらペットボトル飲み口の突起部分に引っ掛ける事により、再びペットボトル内に収めることが出来る。なので途中で蓋を閉める事も可能であり漏れることもない。ストローは引っ掛けやすく外しやすい様にストロー飲み口は図面に記載した様な形にする。またストローが不要な方についてはストローを伸ばさずにそのまま飲み口に口をつけて飲む事も出来る。ストローが不要な方にも飲みやすくする為に飲み口の大きさについては現行のペットボトルよりも少し広めの方がよい（ストロー収納部分により飲み口の大きさが奪われ飲み心地が悪くなる恐れもあるため）。しかし主にストローでしか飲まない様な顧客向け飲料の場合には飲み口を狭くするなど、飲み口の大きさはケースバイケースである。
【考案の詳細な説明】
【技術分野】
【０００１】  本考案はペットボトル内にストローを収納させたペットボトルに関するものである。
【背景技術】
【０００２】ペットボトル飲料をストローを使って飲みたかった場合、別にストローを用意しなければいけなかった。また途中で蓋を閉める場合は一旦ストローを外に出す必要が生じ、仮に中に押し込んだとしても出せなくなってしまうケースが多い。
【考案の開示】
【考案が解決しようとする課題】
【０００３】ストロー一体型でないと急に必要になった場合にストローがない状況もありうる。また別物のストローはサイズが合わない場合も多く、中に沈んでしまったりする。また長さが丁度よくても蓋を閉める際一旦出さなければいけなかったりするので蓋を閉めることが困難である。または無理やり押し込んで蓋を閉めたとしても中に入り込んで出なくなってしまうケースも多い。
【課題を解決するための手段】
【０００４】本考案はペットボトルの中にストローが収納されているのでストローを探す必要がない。ストロー上部の突起部分を指でずらすとワンタッチでペットボトル内から飛び出して飲むことが可能。これは弾力性のある材質を用いることにより折れ曲がっていたストローが飛び出す仕組みである。またストローを押し戻しながら突起部分に引っ掛ける事により、再びペットボトル内に収めることが出来る。なので途中で蓋を閉める事も可能。またストローが不要な方についてはストローを伸ばさずにそのまま飲む事も出来る。
【考案の効果】
【０００５】子供、女性、また様々なシチュエーションでストローが必要な方は多いが、上記欠点が改善されることにより、本ペットボトルを選択する消費者が増える。また当然ストローが不要な方も多数存在するのでそのような方にも対応可能にしている。
【考案を実施するための最良の形態】
【０００６】ストローについては弾力性のものを用いて突起で押さえつけていた状態から開放することにより飛び出す様にする。ストローをずらしたり突起に引っかかりやすくなる様ストロー上部は図面２ａのような形状にする。収納させたままでストロー不要な方も飲むことが可能であり、飲み口の大きさについては現行のペットボトルよりも広めの方がストロー不要な方については飲みやすい。
【実施例】
【０００７】ペットボトルに１のパーツを結合させ中にストローを通す。形状物１にはストローが引っかかる部分１ａを設けておく。ストローは弾力性のあるものを使い、ペットボトルの高さよりも長いので収納させておく際には折り曲げてここに引っ掛けておく。飲む際にはストローを少しずらすことにより弾力が反発して飛び出す仕組みである。収納させたままでストロー不要な方も飲むことが可能であり、飲み口の大きさについては現行のペットボトルよりも広めの方がストロー不要な方については飲みやすい。
【産業上の利用可能性】
【０００８】通常のペットボトルに使用可能なので利用の汎用性は高い。様々なシチュエーションでストローが必要な方は多いが、本ペットボトルを採用することにより「中身」以上に「本ペットボトル」だから選択する消費者が増える。また当然ストローが不要な方も多数存在するのでそのような方にも対応可能にしている。
【図面の簡単な説明】
【０００９】
【図１】ストローを収納させている図面である
【図２】ストローを伸ばした際の図面である
【符号の説明】
【００１０】  １    ストロー固定パーツ（ペットボトルに付属）
１ａ  ストロー引っ掛け部
２    ストロー
２ａ  ストロー飲み口
【図１】
0003135295.tif 000003
【図２】
0003135295.tif 000004
【手続補正書】
【提出日】平成19年5月31日(2007.5.31)
【手続補正１】
【補正対象書類名】実用新案登録請求の範囲
【補正対象項目名】全文
【補正方法】変更
【補正の内容】
【実用新案登録請求の範囲】
【請求項１】
ペットボトルの中にストローが収納されており、
（１）  ストロー上部はペットボトル飲み口に付属している突起部分に引っ掛かってペットボトル内に収まっている、
（２）  ストローで飲む場合は収まったストローを指でずらすとワンタッチでストローが飲み口から飛び出て飲むことが可能、
（３）  ペットボトルの高さよりも長いストローには弾力性のある材質を用いることにより折れ曲がっていたストローが飛び出す仕組み、
（４）  ストローを押し戻しながらペットボトル飲み口の突起部分に引っ掛ける事により、再びペットボトル内に収めることが出来る、
（５）  ストローが不要な方についてはストローを伸ばさずにそのまま飲み口に口をつけて飲む事も可能で、蓋を閉める事も可能、
以上からなるワンタッチストローつきペットボトル。
(57)【要約】      （修正有）【課題】寝たきり患者専用のベッドサイドに於ける、素材としてポリプロピレン系のものを使い安価で軽量、しかも持ち運びが簡単で、誰でも洗髪する事ができるポータブル洗髪用たらいを提供する。【解決手段】ベッドサイド用たらい１であり、たらいの中にそのまま仰向けに頭を入れ，予めたらいの中の容器２に溜めてある湯を使い、頭を洗い、シャンプー、リンス、ブラッシングを可能とする。お湯は都度補充し、手でやさしくお湯をかける動作を繰り返す。排水はたらいの横に付いた排水口１０からホースで、ベッドの横のポリタンクへ流す。低コストでしかも取り扱い簡単、持ち運びも便利で、自宅に於ける快適な療養環境を狙うものである。【選択図】図１
0003135294.tif 000002
【実用新案登録請求の範囲】
【請求項１】
寝たきり患者専用のベッドサイドにおける洗髪用たらい。
お湯を入れる容器，さらにシャンプー入れ、リンスいれ、ブラシ、クシ入れ等、一連の流れがスムーズにいくようにたらいの中にセットされており、しかも素材としてポリプロピレンを予定しているため、軽量で持ち運びが簡単で低コスト。
最終的に排水はホースで、ベッドの横のポリタンクへ流すように設計した寝たきり患者専用のポータブル洗髪用たらい。
【考案の詳細な説明】
【技術分野】
【０００１】本考案は寝たきり患者のベッドサイドでの洗髪を可能にし、病院もしくは自宅に於ける快適な療養環境を実現するものである。
【背景技術】
【０００２】病院等施設では人手が多く、浴室まで運び介護職員がシャワー等で入浴時に洗髪を行っている。
【考案の開示】
【考案が解決しようとする課題】
【０００３】医療は施設から在宅に向かっており本件は主に、在宅での介護を助けるための考案である。  寝たきり全介助の患者は、家では浴室に誘導することは難しく、長期間入浴することができない為、寝たままの状態で特に髪が不潔となる。また介護用品は高価なものが多く取り扱いも複雑で、しかも貧困家庭では経済的な問題も抱えているため、簡単で安くが基本的な条件となる。
【課題を解決する為の手段】
【０００４】ベッドサイドに本考案の洗髪用たらいを持ち込み、洗髪を行う事ができる。低コストで実現する。
【考案の効果】
【０００５】寝たきりの状態での洗髪を可能とし、低コストでしかも快適な在宅療養を実現する。誰でも簡単に取り扱えるため家族全員で協力することができる。
【考案を実施するための最良の形態】
【０００６】たらいの中に設置された容器の中に、お湯をいれ、たらいの中に予めセットされたシャンプーで洗髪を行い、またお湯を注ぎ補充し、最後にリンス、ブラシ，くしを使い仕上げる。
【実施例１】
【０００７】図１は鳥瞰図である。図２は頭を入れた状態を示す。
【実施例２】
【０００８】以下、図１、図２に従って実施例を説明する。
【実施例３】
【０００９】１は、たらいである。  たらいの大きさは，おおむね縦４５ｃｍ，横６０ｃｍ，高さ２５ｃｍ程のもので素材としてはポリプロピレン系のものを使う。
【実施例４】
【００１０】２はお湯を溜める容器である。この容器の下に排水口がありゴム栓で止めるようになっている。
【実施例５】
【００１１】３はシャンプー入れ、４はリンス入れ、５はブラシ、クシ入れである。
３，４，５の下には水を通す穴１１がついている。
【実施例６】
【００１２】７は、たらいの排水管で、たらいの横に付いており排水管は蛇口のように曲っており左右に動く。これにホースを通しベッドの横のポリタンクへ排水を流すようにする。
【実施例７】
【００１３】６は人の首を乗せる枕である。素材としては柔らかく、防水のきくポリウレタン系のものを使用する。
【実施例８】
【００１４】図２は、たらいの中に頭を入れた状態で、お湯を溜める容器と頭が並ぶようになる。この容器にお湯を入れ、そばにあるシャンプーで洗髪する。
仕上げはリンスとブラシ、クシを使用し一連の流れが完了する。
【産業上の利用可能性】
【００１５】医療の流れは在宅に向かっており、自宅で長期療養する患者の清潔保持は家族全員の願い。患者自身にとっても望むところ。
又家族に負担をかけてはいけないとの患者の思いもあり、低コストで実現させる簡単な洗髪用たらいは、時代の要請と思われる。
【図面の簡単な説明】
【００１６】
【図１】鳥瞰図である。
【図２】たらいに頭を入れた状態である。
【符号の説明】
【００１７】  １    たらい（素材ポリプロピレン系）
２    湯を溜める容器
３    シャンプー入れ
４    リンス入れ
５    ブラシ，くし入れ
６    首を支える枕（ナイロン、塩化ビニール樹脂）でｕ字形。Ｕ字の底はたらいの下から５ｃｍ位の位置。柔らかい。
７    排水管（塩ビ）、
８    ホース
９    ポリタンク
１０    排水口（ゴム栓つき）
１１    排水口（ゴム栓なし）
【図１】
0003135294.tif 000003
【図２】
0003135294.tif 000004
【手続補正書】
【提出日】平成19年6月6日(2007.6.6)
【手続補正１】
【補正対象書類名】実用新案登録請求の範囲
【補正対象項目名】全文
【補正方法】変更
【補正の内容】
【実用新案登録請求の範囲】
【請求項１】
寝たままの状態で頭をたらいの中にいれ、洗髪できるようにしたたらいで、お湯入れ、シャンプー入れ、リンス入れ，ブラシ・櫛入れなどの容器がセットされており、一連の作業がスムーズに行えるようにしたもので最終的に排水はゴムホースでベッドの下のポリタンク等へ流すように工夫されたベッドサイド用洗髪たらい。
(57)【要約】      （修正有）【課題】容器を穿孔による透かし模様で装飾すると、その穿孔のため容器としての機能が失われる場合がある。その容器としての欠点を無くして容器を穿孔による透かし模様で装飾する。【解決手段】容器を全体あるいは主要部分を基本的に二重にする。この二重とは、外側容器部分と内側容器部分を重ね合わせて一体とし、一つの機能を持つ容器とし、そして容器の用途に応じてこの外側、内側の部分のいずれか一方にあるいは両方に穿孔による透かし模様を施し、重ねた数の容器部分の素材の色を意匠に利用する。【選択図】図１
0003135296.tif 000002
【実用新案登録請求の範囲】
【請求項１】
容器を全体あるいは主要部分を基本的に二重にする。この二重とは、外側容器部分と内側容器部分を重ね合わせて一体とし、一つの機能を持つ容器とするものである。そして容器の用途に応じてこの外側、内側の部分のいずれか一方にあるいは両方に穿孔による透かし模様を施す。重ねた数の容器部分の素材の色を意匠に利用する。
【考案の詳細な説明】
【技術分野】
【０００１】  本考案は、容器を穿孔による透かし模様で装飾すると同時に、穿孔による容器としての欠点を無くしようとするものである。
【背景技術】
【０００２】  従来の容器の穿孔による透かし模様の装飾は、容器に入れる物が液状あるいは装飾の孔より小さい場合は、穿孔による装飾ができなかった。
【考案の開示】
【考案が解決しようとする課題】
【０００３】  本考案は、主としてプラスチック製品を対象とし、材料の特性を活かし、素材の色、彫刻やプリント等の表面加工のほかに、容器としての機能を失わせずに穿孔による透かし模様で装飾し美術的効果を与えようとするものである。【０００４】  花瓶を一例とすると、その花瓶の胴の部分が主要な装飾部分であるが、そこに穿孔による透かし模様を加工しても水を入れる事ができるようにする事が主要な課題である。
【課題を解決するための手段】
【０００５】  本考案は、容器を全体あるいは主要部分を基本的に二重にする。この二重とは、外側容器部分と内側容器部分を重ね合わせて一体とし、一つの機能を持つ容器とするものである。そして容器の用途に応じてこの外側、内側部分のいずれか一方にあるいは両方に穿孔による透かし模様を施す。重ねた数の容器部分の素材の色を意匠に利用する。
【考案の効果】
【０００６】  上記のように、容器を基本的に二重にすることで、花瓶を例とした場合、外側部分だけに穿孔による透かし模様を施すことで、その花瓶に水を入れることができ、同時に外側、内側部分の材料の色のコントラストによる意匠を提供することができる。
【考案を実施するための最良の形態】
【０００７】  一例として容器を植木鉢とした場合、内側部分の下部に植木鉢としての機能を持たせ、外側部分の下部の部分近くは穿孔を避け、植木鉢の受け皿の機能を持たせることにより別の受け皿が不要となり、植木鉢の移動が簡単になる。このように二つ以上の容器部分の組み合わせで一つの容器としたことで、新しい機能を作ることが期待できる。
【実施例】
【０００８】  添付図面に従って実施例を説明する。図面で示しているのは、筒状容器の断面図であり、穿孔による模様は２に施す。１を大きくし２、３を低くした皿状容器は３に穿孔による模様を施す。籠状容器は２、３に穿孔による模様を施す。
【図面の簡単な説明】
【０００９】
【図１】本考案の外側、内側部分を重ねて一つの容器とした断面図である。
【符号の説明】
【００１０】    １  容器上部
２  容器の外側部分
３  容器の内側部分
４  容器下部
【図１】
0003135296.tif 000003
【手続補正書】
【提出日】平成19年6月5日(2007.6.5)
【手続補正１】
【補正対象書類名】実用新案登録請求の範囲
【補正対象項目名】全文
【補正方法】変更
【補正の内容】
【実用新案登録請求の範囲】
【請求項１】
バケツ、コップ、傘立て、箸立て、花瓶、屑入れ、筆立て、茶筒、水筒、弁当箱の何れかの容器の、全体あるいは主要部分を外側容器部分と内側容器部分に分け、更にそれらの部分を重ね合わせて２重にして１体とし、１つの機能を持つ容器とするものであり、２つの容器部分の素材の色を利用し、この外側部分に穿孔による透かし模様を施した容器である。